(57)【要約】【課題】立て掛けて保管した書籍等の水平面でのズレを防止するとともに、ブックスタンド一対を相互に向かい合わせで連結させてブックエンドを構成する際、その連結を安定させることができ、また、ブックスタンドとブックエンドや、ブックエンド同士をそれぞれ安定的に連結させていくことができ、さらに、本の収納領域の段階的な間隔調整も容易に行えるブックスタンド、ブックエンド及びブックエンドユニットを提供する。【解決手段】ブックエンドやブックエンドユニットを構成するブックスタンド１０を垂直方向へと立設される背板１２と、背板１２の底辺のうち、一端側から所定範囲に渡る部分において、水平方向へと延設されてなる底板１４とを備えさせ、そして、その底板１４を側面視波形状に形成させた。【選択図】図１
0003195080.tif 000002
【実用新案登録請求の範囲】
【請求項１】
垂直方向へと立設される背板と、当該背板の底辺のうち、一端側から所定範囲に渡る部分において、水平方向へと延設されてなる底板と、を備え、前記底板は、側面視波形状に形成されてなるものであることを特徴とするブックスタンド。
【請求項２】
前記所定範囲は、前記背板の底辺のうち、一端側から、底辺中間点までの範囲内であることを特徴とする請求項１記載のブックスタンド。
【請求項３】
請求項１又は２記載のブックスタンドを一対用いてなり、一方のブックスタンドの背板の底辺のうち、前記底板が延設されていない部分を、他方のブックスタンドの底板に形成された波形状のうち、任意の谷間部分に相互に挿置することで、ブックスタンド同士を連結し、それにより対向する前記背板同士間を収納領域として機能させることを特徴とするブックエンド。
【請求項４】
請求項３記載のブックエンドに対し、請求項１又は２記載のブックスタンドを下記（１）又は（２）の何れかにより連結し、それにより対向する背板同士間を収納領域として機能させることを特徴とするブックエンドユニット。
（１）前記ブックスタンドの背板の底辺のうち、前記底板が延設されていない部分を、前記ブックエンドを構成するブックスタンドのうちの任意のブックスタンドの底板に形成された波形状のうち、任意の谷間部分に挿置する。
（２）前記ブックスタンドの底板と、前記ブックエンドを構成するブックスタンドのうちの任意のブックスタンドの底板とを、それぞれの谷間部分を合わせて上下に重ねる。
【請求項５】
請求項３記載のブックエンドを複数用い、下記（３）又は（４）の何れかにより相互に連結していき、それにより対向する背板同士間を収納領域として機能させることを特徴とするブックエンドユニット。
（３）隣接するブックエンドのうち、一方のブックエンドを構成するブックスタンドのうちの任意のブックスタンドの背板の底辺のうち、前記底板が延設されていない部分を、他方のブックエンドを構成するブックスタンドのうちの任意のブックスタンドの底板に形成された波形状のうち、任意の谷間部分に挿置する。
（４）隣接するブックエンドのうち、一方のブックエンドを構成するブックスタンドのうちの任意のブックスタンドの底板と、他方のブックエンドを構成するブックスタンドのうちの任意のブックスタンドの底板とを、それぞれの谷間部分を合わせて上下に重ねる。
【考案の詳細な説明】
【技術分野】
【０００１】
本考案は、ブックスタンド、ブックエンド及びブックエンドユニットについて、詳しくは、立て掛けて保管した書籍等の水平面でのズレを防止するとともに、ブックスタンド一対を相互に向かい合わせで連結させてブックエンドを構成する際、その連結を安定させることができ、また、ブックスタンドとブックエンドや、ブックエンド同士をそれぞれ安定的に連結させていくことができ、さらに、書籍等の収納領域の段階的な間隔調整も容易に行えるブックスタンド、ブックエンド及びブックエンドユニットに関するものである。
【背景技術】
【０００２】
従来から、机上等において、書籍等を立て掛けて保管することを目的とするブックエンドや、そのブックエンドから構成されるブックエンドユニットといった器具が用いられている。例えば、特許文献１には、側板に対し水平方向に延在する底板を一体的に有する正面視Ｌ形状又は逆Ｌ形状となる一対のスタンドからなり、一方のスタンドは平面視凹形となる一対の底板をもち少なくともその片側の内側部に底板長さ方向に並ぶ凹凸列を刻設され、他方のスタンドは平面視凸形となる一つの底板をもち前記凹凸列に対応する外側部に底板長さ方向に並ぶ凹凸列を刻設され、前記一対のスタンドの底板の内外側部に並ぶ凹凸列相互が噛み合い両スタンドが係合状態となるよう構成してなるブックエンドが開示されている。
【０００３】
この技術によれば、書籍や書類ファイルの数量にかかわらず側板間隔の設定が自在にでき、一方のスタンドの、平面視凹形の、水平方向に延在する一対の底板の両内側部に刻設されている凹凸列と、他方のスタンドの、平面視凹形の、水平方向に延在する一対の底板の両外側部に刻設されている凹凸列が噛み合い係合するから、書籍等の厚み方向にずれることなくまた、スタンドが回転ずれを書籍等の出し入れに際して底板相互の凹凸列の噛み合わせが外れてしまうことがなく、スタンドの位置が水平面内で回転ずれを起こすことがない。さらに、係合状態における底板の、書籍等の出し入れ方向における寸法（幅）は側板の同じ方向の寸法と等しいから、書籍等の収蔵領域内で机上面との間で段差若しくは隙間を生じることなく、書籍等が前後方向に傾くといった問題を生じないとされている。
【０００４】
また、特許文献２には、板材を直角に折り曲げて底板と側板とを形成してなるブックエンドにおいて、該ブックエンドの前記底板の折曲方向の縁を凹凸状に形成したことを特徴とするブックエンドが開示されており、これによると、ブックエンドの底板の折曲方向の縁に凹凸部を設けて互いの底板の凹凸部をはめ合うようにしたので、たとえ、側板に本が寄りかかってもブックエンドがずれることはなく本の保持を確実にすることができるとしている。
【０００５】
そして、特許文献３には、少なくとも第１及び第２のスタンド形成体を所定の設置面に沿って突き合せた状態で連結可能としたブックスタンドにおいて、前記各スタンド形成体は相互に直交する方向に向けられた略方形の第１及び第２の面を備えて構成され、これら第１及び第２の面は略同一の前後幅に設けられ、且つ、第１及び第２の面の各先端側には、前記第１及び第２のスタンド形成体を突き合せたときに一方が他方を受容する関係で相互の連結を可能とする連結部が形成されていることを特徴とするブックスタンドが開示されており、これによれば、第１及び第２の面の各先端側に連結部を形成したから、第１及び第２の面の何れもが書籍等の載置面として利用可能となる。しかも、連結した状態或いは個々に分離した状態での何れの利用態様も選択することができるとしている。
【０００６】
さらに、特許文献４には、平板状の側板を有し、相互に連結することによって側板間を収納領域とするブックスタンドを構成するものであって、一方のブックスタンドユニットに対して他方のブックスタンドユニットの側板を裏返して連結することによって、側板間に異なる収納幅の収納領域を形成し得るようしたことを特徴とするブックスタンドユニットが開示されており、これによれば、収納しようとする書籍類を立てて整理保管させるために、１種類のブックスタンドユニットを複数個連結させることで、収納領域の幅寸法を選択的に設定できるとしている。
【先行技術文献】
【特許文献】
【０００７】
【特許文献１】特開２００９−１１７３３号公報
【特許文献２】特開平０５−３１０１２号公報
【特許文献３】特開平１１−３４６８４５号公報
【特許文献４】特開２００５−７３９５８号公報
【考案の概要】
【考案が解決しようとする課題】
【０００８】
しかしながら、特許文献１、２にあるブックエンドは、底板面が平坦であるため、書籍を保管した際に、書籍の底辺が滑りやすいという問題が生じてしまっていた。また、ブックエンド１対同士を対向した状態で連結配置することしかできず、それより多くのブックエンドを連結させることが出来なかった。その他、底板同士でブックエンド間を連結するタイプであるため、固定部が１箇所となり、安定性という面でさらなる改良が求められている。
【０００９】
さらに、特許文献３にあるブックスタンドは、連結の手段は優れているものの、やはり、一対同士を対向した状態で連結配置するしかない。また、底板面が平坦であるため、上記同様、書籍を保管した際に、書籍の底辺が滑りやすいという問題が生じてしまう。そして、特許文献４にあるブックスタンドユニットは、収納幅が限定されてしまうという問題があり、また、ブックスタンドユニットを一対だけではなく、複数個組み合わせることによりブックスタンドを構成することもできるとあるが、やはり使い勝手が悪い。
【００１０】
本考案は、上述の課題を解決するためのもので、立て掛けて保管した書籍等の水平面でのズレを防止するとともに、ブックスタンド一対を相互に向かい合わせで連結させてブックエンドを構成する際、その連結を安定させることができ、また、ブックスタンドとブックエンドや、ブックエンド同士をそれぞれ安定的に連結させていくことができ、さらに、本の収納領域の段階的な間隔調整も容易に行えるブックスタンド、ブックエンド及びブックエンドユニットを提供することにある。
【課題を解決するための手段】
【００１１】
上記課題に対応するため、本考案は、以下の技術的手段を講じている。
即ち、請求項１記載の考案は、垂直方向へと立設される背板と、当該背板の底辺のうち、一端側から所定範囲に渡る部分において、水平方向へと延設されてなる底板と、を備え、前記底板は、側面視波形状に形成されてなるものであることを特徴とするブックスタンドである。また、請求項２記載の考案は、請求項１記載のブックスタンドであって、前記所定範囲は、前記背板の底辺のうち、一端側から、底辺中間点までの範囲内であることを特徴としている。
【００１２】
続いて、請求項３記載の考案は、請求項１又は２記載のブックスタンドを一対用いてなり、一方のブックスタンドの背板の底辺のうち、前記底板が延設されていない部分を、他方のブックスタンドの底板に形成された波形状のうち、任意の谷間部分に相互に挿置することで、ブックスタンド同士を連結し、それにより対向する前記背板同士間を収納領域として機能させることを特徴とするブックエンドである。
【００１３】
さらに、請求項４記載の考案は、請求項３記載のブックエンドに対し、請求項１又は２記載のブックスタンドを下記（１）又は（２）の何れかにより連結し、それにより対向する背板同士間を収納領域として機能させることを特徴とするブックエンドユニットである。
（１）前記ブックスタンドの背板の底辺のうち、前記底板が延設されていない部分を、前記ブックエンドを構成するブックスタンドのうちの任意のブックスタンドの底板に形成された波形状のうち、任意の谷間部分に挿置する。
（２）前記ブックスタンドの底板と、前記ブックエンドを構成するブックスタンドのうちの任意のブックスタンドの底板とを、それぞれの谷間部分を合わせて上下に重ねる。
【００１４】
そして、請求項５記載の考案は、請求項３記載のブックエンドを複数用い、下記（３）又は（４）の何れかにより相互に連結していき、それにより対向する背板同士間を収納領域として機能させることを特徴とするブックエンドユニットである。
（３）隣接するブックエンドのうち、一方のブックエンドを構成するブックスタンドのうちの任意のブックスタンドの背板の底辺のうち、前記底板が延設されていない部分を、他方のブックエンドを構成するブックスタンドのうちの任意のブックスタンドの底板に形成された波形状のうち、任意の谷間部分に挿置する。
（４）隣接するブックエンドのうち、一方のブックエンドを構成するブックスタンドのうちの任意のブックスタンドの底板と、他方のブックエンドを構成するブックスタンドのうちの任意のブックスタンドの底板とを、それぞれの谷間部分を合わせて上下に重ねる。
【考案の効果】
【００１５】
本考案によると、立て掛けて保管した書籍等の水平面でのズレを防止するとともに、ブックスタンド一対を相互に向かい合わせで連結させてブックエンドを構成する際、２箇所において固定させることができることから、その連結を安定させることが可能である。また、ブックスタンドとブックエンドや、ブックエンド同士も、それぞれ安定的に連結させていくことができる。さらに、ブックスタンド同士を波形状の底板の任意の谷間部分で連結させることができるため、本の収納領域の段階的な間隔調整が容易に行うことも可能である。
【図面の簡単な説明】
【００１６】
【図１】本考案に係るブックスタンドの実施形態の一例を示した図で、（ａ）は正面図、（ｂ）は右側面図、（ｃ）は平面図、（ｄ）は斜視図である。
【図２】本考案に係るブックエンドの実施形態の一例を示した図で、（ａ）は平面図、（ｂ）は右側面概略図、（ｃ）は斜視図、（ｄ）は（ｂ）及び（ｃ）において一点鎖線の円で示された連結部分の詳細概略図である。
【図３】本考案に係るブックエンドユニットの第１の実施形態の一例を示した図で、（ａ）は平面図、（ｂ）は右側面概略図、（ｃ）は斜視図である。
【図４】本考案に係るブックエンドユニットの第２の実施形態の一例を示した図で、（ａ）は平面図、（ｂ）は右側面概略図、（ｃ）は斜視図である。
【図５】本考案に係るブックエンドユニットの第３の実施形態の一例を示した図で、（ａ）は平面図、（ｂ）は右側面概略図、（ｃ）は斜視図である。
【考案を実施するための形態】
【００１７】
以下、本考案に係るブックスタンドの実施形態について、図面を参照しながら説明する。
図１は、本考案に係るブックスタンドの実施形態の一例を示した図で、（ａ）は正面図、（ｂ）は右側面図、（ｃ）は平面図、（ｄ）は斜視図である。また、１０はブックスタンド、１２は背板、１４は背板底辺、１６は底板、１８は山部、２０は谷間部を表している。なお、（ｃ）中、一点鎖線で表しているのは、波形状に形成された底板１６の山部１８頂点を意味している。
【００１８】
まず、ブックスタンド１０は、図１に示すように、垂直方向へと立設される背板１２と、背板底辺１４のうち、一端側から所定範囲に渡る部分において、水平方向へと延設されてなる底板１６とを備えるもので、この底板１６は、側面視波形状に形成されている。この波形状は、底板１６全面に渡り、所定の間隔及び高低差で形成されているが、これは本考案を限定するものではない。
【００１９】
次に、底板１６の山部１８と、谷間部２０の連続により波形状を呈しているため、書籍等を立て掛ける際に、その書籍等の底部が滑らず、また、ブックスタンド１０自体も机上等において滑りにくいという効果が生じる。また、本実施形態では、底板１６が延設されている部分は、背板底辺１４の一端側から中間点にかけての範囲であるが、後述するブックユニットを構成することが可能な範囲であれば、一端側から中間点のどの範囲において形成させても良い（例えば、一端側から１／３の範囲等）。
【００２０】
続いて、本考案に係るブックエンドの実施形態について、図面を参照しながら説明する。図２は、本考案に係るブックエンドの第１の実施形態の一例を示した図で、（ａ）は平面図、（ｂ）は右側面概略図、（ｃ）は斜視図、（ｄ）は（ｂ）及び（ｃ）において一点鎖線の円で示された連結部分の詳細概略図である。符号については、３０がブックエンドである以外は、図１と同様である。なお、（ａ）中、一点鎖線で表しているのは、波形状に形成された底板１６の山部１８頂点を意味している。また、（ｂ）は、底板１６同士を上下に重ねた状態での右側面概略図であるが、便宜上、両ブックスタンド１０は相互に離した状態で示している。
【００２１】
まず、本実施形態においては、ブックエンド３０は、図２に示すように、一対のブックスタンド１０により構成されてなるものである。ブックエンド３０を構成するためには、図２（ｂ）及び（ｃ）に示すように、一方のブックスタンド１０の背板１２の背板底辺１４のうち、底板１６が延設されていない範囲の部分を他方のブックスタンド１０の底板１６の波形状のうちの谷間部２０に挿置することで、相互に対向するよう連結させ、それにより対向する背板１２同士間を書籍等の収納領域として機能させることができるようになっている。なお、（ｂ）中の矢印は、上記挿置をイメージしているもので、組み立ての順序を示しているものではない。
【００２２】
本実施形態のように、底板１６が波形状を呈していると、ブックエンド３０に収納した書籍等が、底板１６上を滑ることがなく、極めて安定した整理収納が可能となってくるわけである。また、ブックスタンド１０同士を谷間部２０により相互に固定することができるため、ブックスタンド１０同士のズレが生じず、ブックエンド３０の安定した使用ができる。さらに、底板１６は、谷間部２０が複数形成される波形状であるため、ブックスタンド１０の背板１２同士の間隔も容易に調整することが可能である。
【００２３】
また、本実施形態では、底板１６が延設されている部分は、背板底辺１４の一端側から中間点にかけての範囲であるが、ブックエンド３０を構成することが可能な範囲であれば、一端側から中間点のどの範囲において形成させても良い（例えば、一端側から１／３の範囲等）。
【００２４】
次に、本考案に係るブックエンドユニットの第１の実施形態について、図面を参照しながら説明する。図３は、本考案に係るブックエンドユニットの第１の実施形態の一例を示した図で、（ａ）は平面図、（ｂ）は右側面概略図、（ｃ）は斜視図である。符号については、各ブックスタンド１０に、それぞれ１０Ａ〜１０Ｄと付していることと、各ブックエンド３０に、それぞれ３０Ａ、３０Ｂと付していること、そして、ブックエンドユニットを４０としている以外は、図２と同様である。なお、（ａ）中、一点鎖線で表しているのは、波形状に形成された底板１６の山部１８頂点を意味し、破線で表しているのは、谷間部２０、そして、重ねた下側の底板１６の端辺を意味している。また、（ｂ）は、底板１６同士を上下に重ねた状態での右側面概略図であるが、便宜上、各ブックスタンド１０は相互に離した状態で示している。
【００２５】
本実施形態においては、ブックエンドユニット４０は、図３に示すように、４つのブックスタンド１０（２つのブックエンド３０）により構成されてなるものである。ブックエンドユニット４０を構成するためには、まず、図３（ｂ）及び（ｃ）に示すように、ブックスタンド１０Ａの背板１２の背板底辺１４のうち、底板１６が延設されていない範囲の部分をブックスタンド１０Ｂの底板１６の波形状のうちの谷間部２０に挿置することで、相互に対向するよう連結させ、ブックエンド３０Ａを構成させる。なお、対向する背板１２同士間を書籍等の収納領域として機能させることができるようになっている。
【００２６】
続いて、ブックスタンド１０Ｃの背板１２の背板底辺１４のうち、底板１６が延設されていない範囲の部分をブックスタンド１０Ｄの底板１６の波形状のうちの谷間部２０に挿置することで、相互に対向するよう連結させ、ブックエンド３０Ｂを構成させる。上記同様に、対向する背板１２同士間を書籍等の収納領域として機能させることができるようになっている。
【００２７】
次に、本実施形態は、ブックエンド３０Ａとブックエンド３０Ｂとを相互に連結させることで、ブックエンドユニット４０が構成されているものである。詳しくは、ブックエンド３０Ａを構成するブックスタンド１０Ａの底板１６と、ブックエンド３０Ｂを構成するブックスタンド１０Ｃの底板１６の谷間部２０を合わせて上下に重ねること、そして、ブックエンド３０Ａを構成するブックスタンド１０Ｂの底板１６と、ブックエンド３０Ｂを構成するブックスタンド１０Ｄの底板１６の谷間部２０を合わせて上下に重ねることにより、相互連結をさせているものである。
【００２８】
このように、ブックエンド３０同士を連結させることができるのは、各ブックスタンド１０の底板１６の波形状が、相似形であるためである。なお、本実施形態では、ブックエンド３０同士を連結する構成としているが、１つのブックエンド３０に１つのブックスタンド１０を連結するように構成しても良いし、その組み合わせ方は、使用する環境に応じて適宜変更可能である。また、（ｂ）中の矢印は、上記挿置をイメージしているもので、組み立ての順序を示しているものではない。さらに、本実施形態では、ブックエンド３０同士を連結させてなるものであるが、１つのブックエンド３０にブックスタンド１０を連結させる構成にしても良い。
【００２９】
続いて、本考案に係るブックエンドユニットの第２の実施形態について、図面を参照しながら説明する。図４は、本考案に係るブックエンドユニットの第２の実施形態の一例を示した図で、（ａ）は平面図、（ｂ）は右側面概略図、（ｃ）は斜視図である。符号については、図３と同様である。なお、（ａ）中、一点鎖線で表しているのは、波形状に形成された底板１６の山部１８頂点を意味し、破線で表しているのは、谷間部２０、そして、重ねた下側の底板１６の端辺を意味している。また、（ｂ）は、底板１６同士を上下に重ねた状態での右側面概略図であるが、便宜上、各ブックスタンド１０は相互に離した状態で示している。
【００３０】
本実施形態においては、ブックエンドユニット４０は、図４に示すように、４つのブックスタンド１０（２つのブックエンド３０）により構成されてなるものである。ブックエンドユニット４０を構成するためには、まず、図４（ｂ）及び（ｃ）に示すように、ブックスタンド１０Ａの背板１２の背板底辺１４のうち、底板１６が延設されていない範囲の部分をブックスタンド１０Ｂの底板１６の波形状のうちの谷間部２０に挿置することで、相互に対向するよう連結させ、ブックエンド３０Ａを構成させる。なお、対向する背板１２同士間を書籍等の収納領域として機能させることができるようになっている。
【００３１】
続いて、ブックスタンド１０Ｃの背板１２の背板底辺１４のうち、底板１６が延設されていない範囲の部分をブックスタンド１０Ｄの底板１６の波形状のうちの谷間部２０に挿置することで、相互に対向するよう連結させ、ブックエンド３０Ｂを構成させる。上記同様に、対向する背板１２同士間を書籍等の収納領域として機能させることができるようになっている。
【００３２】
次に、本実施形態は、ブックエンド３０Ａとブックエンド３０Ｂとを相互に連結させることで、ブックエンドユニット４０が構成されているものである。詳しくは、ブックエンド３０Ａを構成するブックスタンド１０Ａの底板１６と、ブックエンド３０Ｂを構成するブックスタンド１０Ｄの底板１６の谷間部２０を合わせて上下に重ねること、さらに、ブックエンド３０Ｂを構成するブックスタンド１０Ｃの背板１２の背板底辺１４のうち、底板１６が延設されていない範囲の部分をブックエンド３０Ａを構成するブックスタンド１０Ａの底板１６の波形状のうちの谷間部２０に挿置することで、相互に連結をさせている。
【００３３】
このように、各ブックスタンド１０の底板１６の波形状が、相似形であるためブックエンド３０同士を連結させることが容易なものとなっている。なお、本実施形態では、ブックエンド３０同士を連結する構成としているが、１つのブックエンド３０に１つのブックスタンド１０を連結するように構成しても良いし、その組み合わせ方は、使用する環境に応じて適宜変更可能である。また、（ｂ）中の矢印は、上記挿置をイメージしているもので、組み立ての順序を示しているものではない。さらに、本実施形態では、ブックエンド３０同士を連結させてなるものであるが、１つのブックエンド３０にブックスタンド１０を連結させる構成にしても良い。
【００３４】
続いて、本考案に係るブックエンドユニットの第３の実施形態について、図面を参照しながら説明する。図５は、本考案に係るブックエンドユニットの第２の実施形態の一例を示した図で、（ａ）は平面図、（ｂ）は右側面概略図、（ｃ）は斜視図である。符号については、図３と同様である。なお、（ａ）中、一点鎖線で表しているのは、波形状に形成された底板１６の山部１８頂点を意味し、破線で表しているのは、谷間部２０、そして、重ねた下側の底板１６の端辺を意味している。また、（ｂ）は、底板１６同士を上下に重ねた状態での右側面概略図であるが、便宜上、各ブックスタンド１０は相互に離した状態で示している。
【００３５】
本実施形態においては、ブックエンドユニット４０は、図５に示すように、４つのブックスタンド１０（２つのブックエンド３０）により構成されてなるものである。ブックエンドユニット４０を構成するためには、まず、図５（ｂ）及び（ｃ）に示すように、ブックスタンド１０Ｂの背板１２の背板底辺１４のうち、底板１６が延設されていない範囲の部分をブックスタンド１０Ａの底板１６の波形状のうちの谷間部２０に挿置することで、相互に連結させ、ブックエンド３０Ａを構成させる。なお、対向する背板１２同士間を書籍等の収納領域として機能させることができるようになっている。
【００３６】
続いて、ブックスタンド１０Ｄの背板１２の背板底辺１４のうち、底板１６が延設されていない範囲の部分をブックスタンド１０Ｃの底板１６の波形状のうちの谷間部２０に挿置することで、相互に連結させ、ブックエンド３０Ｂを構成させる。上記同様に、対向する背板１２同士間を書籍等の収納領域として機能させることができるようになっている。
【００３７】
次に、本実施形態は、ブックエンド３０Ａとブックエンド３０Ｂとを相互に連結させることで、ブックエンドユニット４０が構成されているものである。詳しくは、ブックエンド３０Ａを構成するブックスタンド１０Ｂの底板１６の波形状のうちの谷間部２０に、ブックエンド３０Ｂを構成するブックスタンド１０Ｃの背板１２の背板底辺１４のうち、底板１６が延設されていない範囲の部分を挿置することで、相互に連結させている。
【００３８】
なお、本実施形態では、ブックエンド３０同士を連結する構成としているが、１つのブックエンド３０に１つのブックスタンド１０を連結するように構成しても良いし、可能な限り、ブックスタンド１０を連結していっても良いし、その組み合わせ方は、使用する環境に応じて適宜変更可能である。また、（ｂ）中の矢印は、上記挿置をイメージしているもので、組み立ての順序を示しているものではない。さらに、本実施形態では、ブックエンド３０同士を連結させてなるものであるが、１つのブックエンド３０にブックスタンド１０を連結させる構成にしても良い。
【産業上の利用可能性】
【００３９】
本考案に係るブックスタンド、ブックエンド及びブックエンドユニットは、立て掛けて保管した書籍等の水平面でのズレを防止するとともに、ブックスタンド一対を相互に向かい合わせで連結させてブックエンドを構成する際には、その連結を安定させることが可能であるため、使用者にとって好適なものである。また、ブックスタンド同士を波形状の底板の任意の谷間部分で連結させることができるため、本の収納領域の段階的な間隔調整が容易に行うことも可能であるため、ユーザビリティに優れたものが提供できる。
【符号の説明】
【００４０】
１０  ブックスタンド
１２  背板
１４  背板底辺
１６  底板
１８  山部
２０  谷間部
３０  ブックエンド
４０  ブックエンドユニット
【図１】
0003195080.tif 000003
【図２】
0003195080.tif 000004
【図３】
0003195080.tif 000005
【図４】
0003195080.tif 000006
【図５】
0003195080.tif 000007